(57)【要約】【課題】防水構造を改良し、内部に水が入ったときにも、電子機器の故障を防止できる信頼性の高い電子機器用防水ケースを提供する。【解決手段】カメラ（電子機器）収納ケース部３１を構成するカメラ収納ケース１の開口部を、背面蓋２１で封止し、フック２５等により係止する。また、開口部と背面蓋２１との隙間にＯリング２４を設け、カメラ収納ケース部３１を水密にする。同様に、カメラに電力を供給する電池７を収納する電池ケース部３２を電池ボックス５、シール部材５ａ、電池専用蓋６等を用いて水密とし、この電池ケース部３２を、カメラ収納ケース部３１の内側に設けた。【選択図】図１
2006126742.tif 000002
【特許請求の範囲】
【請求項１】
内部に電子機器を収納する電子機器収納ケース部と、
前記電子機器収納ケース部の内側に設けられ、前記電子機器に電力を供給する電池を収納する電池ケース部とを備え、
前記電子機器収納ケース部は、
第１の開口部を有する本体と、
前記第１の開口部を封止する蓋体と、
前記第１の開口部と前記蓋体との隙間をシールする第１のシール部材と、
前記本体に前記蓋体を係止する第１の係止部と、
前記本体又は前記蓋体に、前記電子機器を外部から操作するための操作部とを備え、
前記電池ケース部は、
第２の開口部を有する電池ボックスと、
前記第２の開口部を封止する電池蓋と、
前記第２の開口部と前記電池蓋との隙間をシールする第２のシール部材と、
前記電池ボックスに前記電池蓋を係止する第２の係止部とを備えること、
を特徴とする電子機器用防水ケース。
【請求項２】
内部に電子機器を収納する電子機器収納ケース部と、
前記電子機器収納ケース部の外側に設けられ、前記電子機器に電力を供給する電池を収納する電池ケース部とを備え、
前記電子機器収納ケース部は、
第１の開口部を有する本体と、
前記第１の開口部を封止する蓋体と、
前記第１の開口部と前記蓋体との隙間をシールする第１のシール部材と、
前記本体に前記蓋体を係止する第１の係止部と、
前記本体又は前記蓋体に、前記電子機器を外部から操作するための操作部とを備え、
前記電池ケース部は、
第２の開口部を有する電池ボックスと、
前記第２の開口部を封止する電池蓋と、
前記第２の開口部と前記電池蓋との隙間をシールする第２のシール部材と、
前記電池ボックスに前記電池蓋を係止する第２の係止部とを備えること、
を特徴とする電子機器用防水ケース。
【請求項３】
請求項１又は請求項２に記載の電子機器用防水ケースにおいて、
前記電子機器は、外部表示部及び撮影用レンズを備えたカメラであり、
前記外部表示部を視認するための、透明又半透明な材質から形成された視認窓と、
前記撮影用レンズに入射する光を透過させ、透明又半透明な材質から形成された撮影窓とを備えること、
を特徴とする電子機器用防水ケース。
【請求項４】
請求項３の電子機器用防水ケースにおいて、
前記カメラは、ズームレンズが駆動する光学ズーム機構を備えたカメラであり、
前記本体又は前記蓋体に、前記ズームレンズがズーム駆動するためのズームレンズ駆動領域を有すること、
を特徴とする電子機器用防水ケース。
【請求項５】
請求項１から請求項４までのいずれか１項に記載の電子機器用防水ケースにおいて、
前記電子機器は、電池を挿入する電池室を備え、
前記電池ケース部は、前記電池の形状をした接続部を備えること、
を特徴とする電子機器用防水ケース。
【請求項６】
請求項１から請求項５までのいずれか１項に記載の電子機器用防水ケースにおいて、
前記電子機器及び前記電池ケース部は、電気回路を備え、
前記電気回路がショートした場合に、前記電力の供給を遮断する電力遮断部を備えること、
を特徴とする電子機器用防水ケース。
【請求項７】
請求項１から請求項６までのいずれか１項に記載の電子機器用防水ケースにおいて、
前記第１のシール部材は、Ｏリングであること、
を特徴とする電子機器用防水ケース。
【請求項８】
請求項１から請求項７までのいずれか１項に記載の電子機器用防水ケースにおいて、
前記第２のシール部材は、Ｏリングであること、
を特徴とする電子機器用防水ケース。
【発明の詳細な説明】
【技術分野】
【０００１】
本発明は、電子機器を収納し、水中で使用する電子機器用防水ケースに関するものである。
【背景技術】
【０００２】
従来から、カメラ等の電子機器を水中で使用するために、防水ケースが用いられてきた。
図４は、従来例によるカメラの防水ケースを示す図である。以下、従来のカメラの防水ケースの構造について簡単に説明する。
この防水ケースは、カメラ収納ケース１０１に、蝶番１２０を用いて背面蓋１２１が開閉可能に設けられている。また、背面蓋１２１は、フック１２５の溝部１２５ａが、カメラ収納ケース１０１の係止リブ１０９に挿入されることにより、閉じた状態にカメラ収納ケース１０１に係止される。
カメラ収納ケース１０１は、カメラ収納時にレンズを収容するレンズスペース１０２、撮影レンズに入射する光を透過させるための撮影窓１０３、カメラ本体のシャッタレリーズボタンを押すための上部操作部１０４等を備えている。
背面蓋１２１は、周縁部にＯリング１２４が設けられており、閉じたときに、このＯリング１２４が、カメラ収納ケース１０１と背面蓋１２１との間に、挟まれ押圧されることにより、カメラ収納部が水密に保たれる。その他、背面蓋１２１は、カメラ本体のＬＣＤを視認するためのＬＣＤ確認窓１２２と、カメラ本体に設けられた操作ボタンを操作するための背面操作部１２３とを備えている。
また、カメラを駆動させる電力を供給する電池は、カメラの本体に設けられた電池室に収容され、その状態でカメラが防水ケースに収容される。
【０００３】
その他の防水ケースの例として、特許文献１には、ビデオカメラに電力を供給するバッテリの交換を容易にするために、防水ケース本体のカメラ収容部にカメラを収容し、バッテリをケース本体の外側に設けたバッテリ収納部に収容する防水ケースが開示されている。
【０００４】
しかし、防水ケースは、カメラ等を収容し水中で使用する場合に、収容状態が悪いと、防水用のパッキン等の一部に隙間が開き、水がカメラ収納部に入り込む可能性がある。そして、水がカメラ等の電池接点部や電気回路に付着したり、電池収納部に水が入り込み電池が水没したりすると、カメラの故障の原因になることがある。
【０００５】
一方、特許文献２は、カメラ本体の電池室に調圧機構を設け、また、電池室を密閉構造とした防水型電子カメラを開示している。このカメラは、経年変化により電池から水素ガスが発生した場合に、この水素ガスを電池室外部に排出し、カメラ本体内部に充満することを防いでいる。
しかし、このカメラは、カメラ本体が防水機能を備えた防水型電子カメラである。そのため、防水パッキン等、防水のための部品を多用するので、カメラが大型となり、水中以外の通常の使用時に、カメラの取り扱いが悪く、また、カメラが高価になるという問題がある。さらに、水素ガスの発生は、電池の経年変化によるものと想定しているので、水素ガスが発生する場所を電池室内に限定している。このため、カメラの電気回路等に水が付着して、電気分解によって水素が発生した場合は、水素ガスをカメラ外部に排出できない、という問題がある。
【特許文献１】特開平９−９１１７号公報
【特許文献２】特開２００１−１１０３７６号公報
【発明の開示】
【発明が解決しようとする課題】
【０００６】
本発明の課題は、防水構造を改良し、内部に水が入ったときにも、電子機器の故障を防止できる信頼性の高い電子機器用防水ケースを提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、内部に電子機器を収納する電子機器収納ケース部（１，２１）と、前記電子機器収納ケース部（１，２１）の内側に設けられ、前記電子機器に電力を供給する電池を収納する電池ケース部（５，６）とを備え、前記電子機器収納ケース部（１，２１）は、第１の開口部を有する本体（１）と、前記第１の開口部を封止する蓋体（２１）と、前記第１の開口部と前記蓋体（２１）との隙間をシールする第１のシール部材（２４）と、前記本体（１）に前記蓋体（２１）を係止する第１の係止部（９，２０，２５）と、前記本体（１）又は前記蓋体（２１）に、前記電子機器を外部から操作するための操作部（２３）とを備え、前記電池ケース部（５，６）は、第２の開口部を有する電池ボックス（５）と、前記第２の開口部を封止する電池蓋（６）と、前記第２の開口部と前記電池蓋（６）との隙間をシールする第２のシール部材（５ａ）と、前記電池ボックス（５）に前記電池蓋（６）を係止する第２の係止部（５ｂ，５ｃ，６ａ，６ｂ）とを備えること、を特徴とする電子機器用防水ケースである。
【０００８】
請求項２の発明は、内部に電子機器を収納する電子機器収納ケース部（１，２１）と、前記電子機器収納ケース部（１，２１）の外側に設けられ、前記電子機器に電力を供給する電池を収納する電池ケース部（５，６）とを備え、前記電子機器収納ケース部（１，２１）は、第１の開口部を有する本体（１）と、前記第１の開口部を封止する蓋体（２１）と、前記第１の開口部と前記蓋体（２１）との隙間をシールする第１のシール部材（２４）と、前記本体（１）に前記蓋体（２１）を係止する第１の係止部（９，２０，２５）と、前記本体（１）又は前記蓋体（２１）に、前記電子機器を外部から操作するための操作部（４，２３）とを備え、前記電池ケース部（５，６）は、第２の開口部を有する電池ボックス（５）と、前記第２の開口部を封止する電池蓋（６）と、前記第２の開口部と前記電池蓋（６）との隙間をシールする第２のシール部材（５ａ）と、前記電池ボックス（５）に前記電池蓋（６）を係止する第２の係止部（５ｂ，５ｃ，６ａ，６ｂ）とを備えること、を特徴とする電子機器用防水ケースである。
【０００９】
請求項３の発明は、請求項１又は請求項２に記載の電子機器用防水ケースにおいて、前記電子機器は、外部表示部及び撮影用レンズを備えたカメラであり、前記外部表示部を視認するための、透明又半透明な材質から形成された視認窓（２２）と、前記撮影用レンズに入射する光を透過させ、透明又半透明な材質から形成された撮影窓（３）とを備えること、を特徴とする電子機器用防水ケースである。
請求項４の発明は、請求項３の電子機器用防水ケースにおいて、前記カメラは、ズームレンズが駆動する光学ズーム機構を備えたカメラであり、前記本体（１）又は前記蓋体（２１）に、前記ズームレンズがズーム駆動するためのズームレンズ駆動領域（２）を有すること、を特徴とする電子機器用防水ケースである。
請求項５の発明は、請求項１から請求項４までのいずれか１項に記載の電子機器用防水ケースにおいて、前記電子機器は、電池を挿入する電池室を備え、前記電池ケース部（５，６）は、前記電池の形状をした接続部（８ｂ）を備えること、を特徴とする電子機器用防水ケースである。
請求項６の発明は、請求項１から請求項５までのいずれか１項に記載の電子機器用防水ケースにおいて、前記電子機器及び前記電池ケース部（５，６）は、電気回路を備え、前記電気回路がショートした場合に、前記電力の供給を遮断する電力遮断部（１１）を備えること、を特徴とする電子機器用防水ケースである。
請求項７の発明は、請求項１から請求項６までのいずれか１項に記載の電子機器用防水ケースにおいて、前記第１のシール部材（２４）は、Ｏリングであること、を特徴とする電子機器用防水ケースである。
請求項８の発明は、請求項１から請求項７までのいずれか１項に記載の電子機器用防水ケースにおいて、前記第２のシール部材（５ａ）は、Ｏリングであること、を特徴とする電子機器用防水ケースである。
【発明の効果】
【００１０】
本発明によれば、以下の効果を奏することができる。
（１）本発明の電子機器用防水ケースは、電子機器を収納する電子機器収納ケース部と、その内側に、電子機器に電力を供給する電池を収納する電池ケース部が設けられている。電子機器収納ケース部は、蓋体が本体の開口部を封止し、これらの隙間は、第１のシール部材が設けられ、蓋体が本体に第１の係止部により係止されている。同様に、電池ケース部は、電池蓋が電池ボックスの開口部を封止し、これらの隙間は、第２のシール部材が設けられ、電池蓋が電池ボックスに第２の係止部により係止されている。すなわち、防水構造の電子機器収納ケース部の内側に、防水構造の電池ケース部が設けられている。これにより、電子機器収納ケース部に水が入り込んだとしても、電池ケース部に水が入り込むことを防ぎ、電子機器の故障を防止できるので、電子機器用防水ケースの信頼性を向上することができる。また、本発明の電子機器用防水ケースは、本体又は蓋体に、電子機器を外部から操作するための操作部とを備えているので、水中で電子機器を使用することができる。
【００１１】
（２）本発明の電子機器用防水ケースは、電子機器収納ケース部と、その外側に、電子機器に電力を供給する電池を収納する電池ケース部が設けられている。電子機器収納ケース部と電池ケース部の構造は、それぞれ（１）と同様である。これにより、電池交換をするときに、電子機器を水で濡らすことなく行なうことができる。また、電池ケース部を、本体の形状や材質に制約されずに設計することができる。これにより、例えば、電池ボックスに本体と異なった材質を用い、また、筐体を肉厚にして強度的に優れた形状とすることで、電子機器用防水ケースの信頼性を向上することができる。さらに、電子機器収納ケース部は、電池や電池ケース部のサイズに制約されずに設計できるので、電子機器収納ケース部を小型にすることができる。
【００１２】
（３）本発明の電子機器用防水ケースは、カメラの外部表示部の視認窓と、撮影用レンズに入射する光を透過させる撮影窓とを備えている。この視認窓と撮影窓は、透明又半透明な材質から形成される。これにより、防水仕様ではないカメラを水中で使用することができる。
（４）本発明の電子機器用防水ケースは、光学ズーム機構を備えたカメラを収納するため、本体又は蓋体に、ズームレンズがズーム駆動するためのズームレンズ駆動領域を有している。これにより、防水仕様ではない光学ズーム機構を備えたカメラを水中で使用することができる。
（５）本発明の電子機器用防水ケースは、電子機器が電池を挿入する電池室を備え、電池ケース部が電池の形状をした接続部を備えている。これにより、電子機器に新たに接続部を設けなくても、電子機器と電池ケース部に収容した電池とを接続することができる。また、電子機器収納ケース部に水が入り込んでも、電子機器の電気接点は、電池室の内側にあり、水が到達しにくいので、電子機器の故障を防止することができる。
（６）本発明の電子機器用防水ケースは、電子機器及び電池ケース部が電気回路を備え、ショートした場合の電力遮断部を備えている。これにより、電子機器用防水ケースは、電池からの電力の供給が遮断されるので、電子機器の故障を防止することができる。
（７）本発明の電子機器用防水ケースは、第１のシール部材がＯリングである。これにより、汎用部品を選択することができ、コストを削減することができる。また、従来の設計仕様を活用できるので、設計時間の短縮ができ、かつ、防水性能の信頼性を向上することができる。
（８）本発明の電子機器用防水ケースは、第２のシール部材がＯリングである。これにより、（７）と同様な効果を得ることができる。
【発明を実施するための最良の形態】
【００１３】
本発明は、防水構造を改良し、内部に水が入ったときにも、電子機器の故障を防止できる信頼性の高い電子機器用防水ケースを提供するという目的を、カメラ（電子機器）収納ケース部を形成するカメラ収納ケースの開口部を背面蓋で封止し、また、開口部と背面蓋との隙間にＯリングを設けカメラ収納ケース部を水密とし、同様に、カメラに電力を供給する電池を収納する電池ケース部を電池ボックス、シール部材、電池専用蓋等を用いて水密とし、この電池ケース部を、カメラ収納ケース部の内側に設けることによって実現した。
【実施例１】
【００１４】
以下、図面等を参照して、本発明の実施例をあげて、さらに詳しく説明する。
図１、図２は、実施例１のカメラ用防水ケースを示す図である。
図１（ａ）は、実施例１によるカメラ用防水ケースの背面蓋２１（後述する。）を開いた状態を示す図である。図１（ｂ）は、図１（ａ）のＢ部矢視断面を示す図である。
図２は、実施例１によるカメラ用防水ケースの正面斜視図である。
本発明を適用した実施例１の電子機器用防水ケースは、光学ズーム機能を備えたカメラ（電子機器）を収納するカメラ収納ケース部３１（電子機器収納ケース部）と、その内側に、カメラに電力を供給する電池を収納する電池ケース部３２とを備えた、カメラ用防水ケースである。
なお、以下の説明においては、カメラの正位置撮影時を基準に上下、前後等を説明する。正位置撮影時とは、カメラをカメラ用防水ケースに収容した状態で、対物レンズの光軸を水平方向に向け、横長の画像を撮影するときの状態をいうものとし、また、カメラ本体の対物レンズ側の面を前面とし、その反対側を背面とする。
図１に示すように、カメラ収納ケース部３１は、カメラ収納ケース１、背面蓋２１等から構成される。
【００１５】
カメラ収納ケース１（本体）は、開口部を有する箱体であり、背面蓋２１（蓋体）が蝶番２０により開閉可能に設けられている。カメラ収納ケース１は、カメラ（図示せず）を、その対物レンズ側が、カメラ収納ケース１の底部側を向くように収納する。
図１に示すように、実施例１のカメラ収納ケース１は、レンズスペース２と、撮影窓３と、上部操作部４と、電池ケース部３２と、係止リブ９とを備えている。
【００１６】
レンズスペース２（ズームレンズ駆動領域）は、収納されるカメラのズームレンズがズーム駆動するために設けられた、カメラ収納ケース１から被写体側に突き出した円筒状の部材である（図２参照）。
【００１７】
撮影窓３は、レンズスペース２の被写体側の先端に設けられ、カメラのレンズに入射する光を透過できるように、透明な材質であるガラスから形成された窓部である。
上部操作部４（操作部）は、カメラ収納ケース１に収容されたカメラのレリーズボタンを押し下げるために、カメラ収納ケース１の天面に、上下に移動可能に設けられている。カメラ収納ケース１と上部操作部４との隙間は、内部に水等が入らないように、Ｏリング４ａを用いてシールされている（図１に一部断面を示す。）。
【００１８】
電池ケース部３２は、電池ボックス５と、電池専用蓋６と、電池７と、ケーブル８と、電池形状コネクタ８ｂ等を備えている。
電池ボックス５は、カメラ収納ケース１の内側に設けられた、周囲を壁で囲んだハウジングあり、カメラに電力を供給する２つの電池７を収納する。電池ボックス５の開口部全周には、後述する電池専用蓋６との隙間をシールするために、ゴム質からなるシール部材５ａ（第２のシール部材）が設けられている。
電池ボックス５は、その壁から植立する４つの爪５ｂ（第２の係止部）が設けられている。図１（ｂ）は、爪５ｂ等の断面を示す図である。爪５ｂは、電池専用蓋６の端面とシール部材５ａを挟み込み、これにより、電池専用蓋６が電池ボックス５に係止され、また、電池ケース部３２が水密に保たれる。
【００１９】
電池専用蓋６は、電池ボックス５の開口部を封止するように、電池ボックス５に着脱可能に取り付けられた板状の蓋体である。
ケーブル８は、電池７とカメラを接続し、カメラに電力を供給するためのケーブルである。ケーブル８は、電池ボックス５の壁に設けられた貫通孔を通され、その先端には、電池形状コネクタ８ｂ（接続部）が設けられている。また、ケーブル８と貫通孔との隙間は、リング状のパッキン８ａを用いて、水密にシールされている。
【００２０】
電池形状コネクタ８ｂ（接続部）は、カメラ本体の電池室に挿入される略電池形状をしており、カメラをカメラ用防水ケースに収納して使用するときに、カメラ本体の電池室に挿入され、カメラに電力を供給する。
係止リブ９は、背面蓋２１を、カメラ収納ケース１に係止するためのリブである（図２参照）。係止リブ９は、図１に示すように、蝶番２０が設けられた側面と反対側の側面に、外側に突き出すように設けられた鉛直方向に長いリブである。
【００２１】
背面蓋２１は、図１に示すように、ＬＣＤ確認窓２２と、背面操作部２３と、Ｏリング２４と、フック２５とを備えている。
ＬＣＤ確認窓２２（視認窓）は、カメラをカメラ用防水ケースに収納したときに、カメラに設けられたＬＣＤ（液晶ディスプレー）を、カメラ用防水ケースの外側から視認するために、透明なガラス材から形成された矩形状の窓である。
【００２２】
背面操作部２３（操作部）は、選択キー操作部２３ａと、ズームキー操作部２３ｂとから形成される。
選択キー操作部２３ａは、カメラ本体に設けられた撮影モード等を選択する選択キーを、カメラ用防水ケースの外側から操作できるように、ゴム質から形成されたラバーキーである。選択キー操作部２３ａは、上下左右に設けられた４つのラバーキーと、その中心に設けられた決定キーを操作するためのラバーキーから形成される。
同様に、ズームキー操作部２３ｂは、カメラ本体に設けられた、広角側、望遠側を選択する２つのズーム選択キーを、カメラ用防水ケースの外部から操作できるように、ゴム質から形成された２つのラバーキーである。
【００２３】
Ｏリング２４（第１のシール部材）は、背面蓋２１の縁部全周に設けられ、ゴム質から形成されるシール部材である。図２の２点鎖線内は、カメラ用防水ケース使用時の背面蓋２１とカメラ収納ケース１の一部断面図を示す図である。この図に示すように、Ｏリング２４は、カメラ収納ケース１の開口部と背面蓋２１との隙間をシールしている。これにより、カメラ用防水ケースは、使用時にカメラ収納ケース部３１に水が侵入することを防止している。
【００２４】
フック２５は、カメラ収納ケース１に背面蓋２１を係止するために、鉛直方向を軸として回転可能に設けられたフックである。図１に示すように、フック２５は、背面蓋２１の蝶番２０が設けられた側面の反対側の側面に設けられている。フック２５は、溝部２５ａが設けられており、これにカメラ収納ケース１に設けられた係止リブ９が挿入されることにより、カメラ収納ケース１の開口部が背面蓋２１によって封止される（図２参照）。
【００２５】
以上説明したように、実施例１によるカメラ用防水ケースのカメラ収納ケース部３１は、背面蓋２１（蓋体）が、カメラ収納ケース１（本体）の開口部を封止し、係止リブ９、蝶番２０、フック２５が係止部（第１の係止部）を形成し、カメラ収納ケース１に係止されている。カメラ収納ケース１の開口部と背面蓋２１との隙間は、Ｏリング２４（第１のシール部材）によりシールされる。同様に、電池ケース部３２は、電池専用蓋６（電池蓋）が、電池ボックス５の開口部を封止し、爪５ｂ（第２の係止部）により、電池ボックス５に係止され、また、電池ボックス５の開口部と電池専用蓋６との隙間は、シール部材５ａ（第２のシール部材）によりシールされる。すなわち、防水構造のカメラ収納ケース部３１の内側に、防水構造の電池ケース部３２が設けられている。これにより、カメラ収納ケース部３１に水が入り込んだとしても、電池ケース部３２まで水が入り込むことを防止でき、カメラ用防水ケースの信頼性を向上することができる。
また、上述したように、シール部材としてＯリング２４を用いているので、汎用部品を選択し、コストを削減できるとともに、従来の設計仕様を活用できるので、設計時間の短縮、防水性能の信頼性向上が可能である。
【００２６】
さらに、実施例１のカメラ用防水ケースは、外部からカメラの操作ができるように上部操作部４（操作部）、背面操作部２３（操作部）と、透明なガラスから形成されたＬＣＤ確認窓２２（視認窓）、撮影窓３と、ズームレンズのズーム駆動のためにレンズスペース２（ズームレンズ駆動領域）とを備えている。これにより、防水仕様ではない光学ズーム機構を備えたカメラを水中で使用することができる。
【００２７】
さらにまた、本発明のカメラ用防水ケースは、カメラ本体に用いる電池と同形状の電池形状コネクタ８ｂ（接続部）を備えている。これにより、カメラは、電池７と接続され、電力の供給を受けることができる。また、カメラ収納ケース部３１に水が入り込んでも、カメラの電気接点は、電池室の内側にあるため、電気接点に水が到達しにくく、カメラの故障を防止することができる。
【実施例２】
【００２８】
次に本発明を適用したカメラ用防水ケースの実施例２について説明する。
図３は、実施例２によるカメラ用防水ケースの背面蓋２１を開いた状態を示す図である。２点鎖線内の図は、電池専用蓋６を開いた状態を示す図である。
なお、以下の説明において、前述した実施例１と同様の機能を果たす部分には、同一の符号を付して、重複する説明を適宜省略する。
【００２９】
実施例２によるカメラ用防水ケースは、カメラ収納ケース部３１を形成するカメラ収納ケース１等の外側に、電池ケース部３２を形成する電池ボックス５と、電池専用蓋６と、基板１０と、ヒューズ１１等が設けられている。
電池ボックス５は、カメラ収納ケース１の図３に示す右側に設けられた、電池を収納するため一方が開口部を有する筒状の部材である。電池ボックス５は、その開口部の周縁に、電池専用蓋６との隙間をシールするゴム質から形成されるシール部材５ａ（第２のシール部材）が設けられている。また、電池ボックス５は、その下端部に、電池専用蓋６を係止するための係止ボス５ｃを有している。
【００３０】
電池専用蓋６は、電池ボックス５の下端に、回転可能に設けられた蓋である。電池専用蓋６は、ケース前後方向を軸とする回転軸６ａが設けられ、これを中心に回転することにより、電池ボックス５の開口部を開閉することができる。また、電池専用蓋６は、電池ボックス５の開口部を封止したときに、係止ボス５ｃが挿入される通孔６ｂを有し、これにより電池ボックス５に係止される。すなわち、回転軸６ａ、係止ボス５ｃ、通孔６ｂは、係止部（第２の係止部）を構成する。また、このときに電池ボックス５のシール部材５ａを電池専用蓋６が押圧することにより、電池ケース部３２が水密に保たれる。
【００３１】
基板１０は、電池ボックス５の内側に設けられ、主に電池の電力供給を制御するための電気回路を備えた、例えばフレキシブルプリント基板や、リジットプリント基板である。
ヒューズ１１は、過大な電流が流れると、発生する熱で溶け、回路を遮断する電気部品である。ヒューズ１１は、電池ボックス５の内側に設けられ、電池ケース部３２の内部、又は、カメラ収納ケース部３１の内部に水が入り込み、基板１０の電気回路やカメラ本体に設けられた電気回路がショートしたときに、電力の供給を遮断する。
【００３２】
以上説明したように、実施例２によるカメラ用防水ケースは、カメラ収納ケース１、背面蓋２１等から形成されるカメラ収納ケース部３１の外側に、電池ボックス５、電池専用蓋６等から形成される電池ケース部３２が設けられている。これにより、電池７の交換をするときに、手に付着した水等で、カメラを濡らすこと無く行なうことができる。また、電池７や電池ボックス５等のサイズに関係なく、カメラ収納ケース１等の設計ができるので、カメラ収納ケース部３１を小型にすることができる。さらに、電池ボックス５の形状を強度的に優れた形状である筒状にすることで、電池ケース部３２の防水性能を向上させ、より信頼性の高いカメラ用防水ケースとしている。さらにまた、実施例２によるカメラ用防水ケースは、電池ケース部３２に、カメラ収納ケース部３１と異なった材質を選択することができる。これにより、例えば電池ボックス５等の材質に、より強度がある材質を用いることにより、カメラ用防水ケースの信頼性をさらに向上することができる。
【００３３】
また、実施例２のカメラ用防水ケースは、ヒューズ１１（電力遮断部）を備えているので、カメラ用防水ケースが完全に水没したとしても、電池７からの電力の供給が遮断され、収納したカメラの故障を防ぐことができる。
【００３４】
（変形例）
以上説明した実施例に限定されることなく、種々の変形や変更が可能であって、それらも本発明の均等の範囲内である。
（１）実施例２において、電力遮断部としてヒューズ１１を用いた例を示したが、これに限定されない。ショートしたときに、電力の供給を遮断できればよいので、例えば、ブレーカ等の電流制限器を用いて、過電流を検出して電力の供給を遮断してもよい。
【００３５】
（２）実施例１において、電池ボックス５の開口部を封止するために電池専用蓋６を用いた例を示したが、これに限定されない。例えば、背面蓋２１の底部を電池専用蓋６と兼用してもよい。つまり、背面蓋２１を閉めたときに、電池ボックス５の開口部が、背面蓋２１の底部により封止できるように、電池ボックス５のハウジングの壁の高さを設定してもよい。これにより、部品点数と工数の削減が可能であり、コストを削減することができる。
【００３６】
（３）各実施例において、電池ケース部３２にシール部材５ａを用いた例を示したが、これに限定されない。例えば、汎用部品のＯリングを用いてもよい。これにより、コストを削減することができ、また、従来の設計仕様を活用できるので、設計時間の短縮、防水性能の信頼性を向上することができる。
【００３７】
（４）各実施例において、透明な材質であるガラスを用いてＬＣＤ確認窓２２（視認窓）と撮影窓３を形成する例を示したが、これに限定されず、光を透過する材質であればよい。例えば、半透明なガラスを用いてもよい。また、透明又は半透明なアクリル等の樹脂を用いてもよい。さらに、カメラ収納ケース１、背面蓋２１、撮影窓３、ＬＣＤ確認窓２２を全て透明な樹脂を用いて作製し、カメラ収納ケース１と撮影窓３、背面蓋２１とＬＣＤ確認窓２２をそれぞれ一部品としてもよい。これにより、部品点数、工数を削減ができ、コストを削減することができる。
【００３８】
（５）各実施例において、電子機器用防水ケースは、カメラを収納するカメラ用防水ケースの例を示したが、これに限定されず、他の電子機器を収納してもよい。例えば、ビデオカメラ等の光学機器、或いは各種測定器等を収納する電子機器用防水ケースでもよい。
【００３９】
（６）各実施例において、レンズスペース２（ズームレンズ駆動領域）、撮影窓３、上部操作部４（操作部）等をカメラ収納ケース１に、ＬＣＤ確認窓２２（視認窓）、Ｏリング２４（第１のシール部材）、背面操作部２３（操作部）等を背面蓋２１に設けたカメラ用防水ケースの例を示したが、これに限定されない。収納する電子機器に設けられたレンズ等の機能部品に対応した位置に、上記の各部品が配置されたカメラ収納ケース１、背面蓋２１を備えたカメラ用防水ケースであればよい。
【図面の簡単な説明】
【００４０】
【図１】実施例１によるカメラ用防水ケースを示す図である。
【図２】実施例１によるカメラ用防水ケースの正面斜視図である。
【図３】実施例２によるカメラ用防水ケースを示す図である。
【図４】従来技術によるカメラ用防水ケースを示す図である。
【符号の説明】
【００４１】
１，１０１    カメラ収納ケース
２，１０２    レンズスペース
３，１０３    撮影窓
４，１０４    上部操作部
５    電池ボックス
５ａ    シール部材
５ｂ    爪
５ｃ    係止ボス
６    電池専用蓋
６ａ    回転軸
６ｂ    通孔
７    電池
８    ケーブル
８ａ    パッキン
８ｂ    電池形状コネクタ
９，１０９    係止リブ
１０    基板
１１    ヒューズ
２０，１２０    蝶番
２１，１２１    背面蓋
２２，１２２    ＬＣＤ確認窓
２３，１２３    背面操作部
２４，１２４    Ｏリング
２５，１２５    フック
２５ａ    溝部
３１    カメラ収納ケース部
３２    電池ケース部
【図１】
2006126742.tif 000003
【図２】
2006126742.tif 000004
【図３】
2006126742.tif 000005
【図４】
2006126742.tif 000006